(57)【特許請求の範囲】
【請求項１】
逆流防止弁を備えるパチンコ遊技機であって、前記逆流防止弁は、遊技盤に対して垂直に配される軸部と、該軸部を挟んで形成され、該軸部を中心として揺動自在な揺動部とを備え、該揺動部は、前記遊技盤に対して垂直に配され遊技球が当接可能な弁部と、前記軸部を挟んで前記弁部の反対側に配され前記弁部に対し該弁部を定位置に保持及び復帰させる作用を発揮する錘部とを有するパチンコ遊技機において、
前記錘部を前記軸部の軸方向において前記弁部からずれた位置に設けると共に、前記遊技盤に前記錘部を移動可能に収容する錘収容孔部を設け、
前記揺動部は、前記軸部を挟んで前記弁部の反対側に配されるベース部と、前記ベース部から後方に前記遊技盤に対して垂直に延び、前記錘部よりも小径に形成されたロッド部と、を備え、
前記錘部は、前記ロッド部の先端に形成されていることを特徴とするパチンコ遊技機。
【発明の詳細な説明】
【技術分野】
【０００１】
本発明は、誘導レール部を経て遊技領域に入った遊技球が誘導レール部に逆流するのを防止する逆流防止弁を備えるパチンコ遊技機に関する。
【背景技術】
【０００２】
図６に示すように、パチンコ遊技機は、内レール３の先端部又は内レール３の先端部の前方位置に逆流防止弁１を備える。逆流防止弁１は、ハンドル１１を含む発射装置により発射され、内レール３と外レール２とにより構成される誘導レール部４を経て遊技領域１０に入った遊技球が、誘導レール部４に逆流するのを防止する作用を発揮する。
【０００３】
従来の逆流防止弁１として、図７に示す逆流防止弁１が知れられている。図７に示す逆流防止弁１は、内レール３の先端部に配設される。逆流防止弁１は、遊技盤６に対して垂直に配される軸部７と、軸部７を挟んで形成され、軸部７を中心として揺動自在な揺動部８とを備える。揺動部８は、遊技盤６に対して垂直に配され遊技球が当接可能な弁部８ｂと、軸部７を挟んで弁部８ｂの反対側に配され弁部８ｂに対し弁部８ｂを定位置に保持及び復帰させる作用を発揮する錘部８ｅとを有する。
【０００４】
図７に示す逆流防止弁１は、遊技球が発射装置によって発射されていない状態下では、錘部８ｅによる揺動部８の重心に基づき、弁部８ｂが外レール２に最も接近した状態に維持され、また、錘部８ｅが外レール２から最も離隔した状態に維持される。
【０００５】
また、図７に示す逆流防止弁１は、遊技球の発射時に、外レール２に沿って誘導されてきた遊技球が揺動部８の弁部８ｂに当たると、揺動部８が軸部７を中心として図示矢印ａ方向へ回動し、遊技球が外レール２と弁部８ｂとの間を通過して遊技領域１０へ入るように動作する。遊技球が遊技領域１０へ入った後は、錘部８ｅによる揺動部８の重心に基づき、揺動部８は軸部７を中心として図示矢印ｂ方向へ回動し、逆流防止弁１は元の状態に戻る。この元の状態下においては、遊技領域１０に入った遊技球が遊技釘等によって跳ね返されて弁部８ｂに当たると、揺動部８が軸部７を中心として図示矢印ｂ方向へ回動しようとするが、逆流防止弁１のハウジング５が錘部８ｅの移動を阻止し、遊技球の誘導レール部４への逆流は阻止される。
【発明の概要】
【発明が解決しようとする課題】
【０００６】
しかし、従来の逆流防止弁１は、錘部８ｅが遊技盤６の表側（外側）に位置しているため、逆流防止弁１のハウジング５において錘部８ｅを揺動可能に収容する部位８ｆが、遊技領域１０側に比較的大きく突出している。
【０００７】
近年、遊技盤の中央に配置されるセンター装飾部材が大型化される傾向があり、センター装飾部材が大型化すると、センター装飾部材と内レールとの間の遊技球通路の幅が縮小化し、この遊技球通路幅の縮小化により、遊技釘を内レールに極めて接近させて配置しなければならない状況が生じている。このような状況下で、上記のようなハウジングの錘部収容部位が遊技領域側に大きく突出した逆流防止弁を内レールの先端部に配設する場合、遊技釘が邪魔になって配設作業が困難もしくは不可能になるおそれが生じる。
【０００８】
本発明は、上記のような従来技術の問題点を解決し、遊技釘を内レールに極めて接近して配置しても、逆流防止弁を容易に配設できるようにすることを目的とする。
【課題を解決するための手段】
【０００９】
本発明のパチンコ遊技機は、逆流防止弁を備えるパチンコ遊技機であって、前記逆流防止弁は、遊技盤に対して垂直に配される軸部と、該軸部を挟んで形成され、該軸部を中心として揺動自在な揺動部とを備え、該揺動部は、前記遊技盤に対して垂直に配され遊技球が当接可能な弁部と、前記軸部を挟んで前記弁部の反対側に配され前記弁部に対し該弁部を定位置に保持及び復帰させる作用を発揮する錘部とを有するパチンコ遊技機において、前記錘部を前記軸部の軸方向において前記弁部からずれた位置に設けると共に、前記遊技盤に前記錘部を移動可能に収容する錘収容孔部を設け、前記揺動部は、前記軸部を挟んで前記弁部の反対側に配されるベース部と、前記ベース部から後方に前記遊技盤に対して垂直に延び、前記錘部よりも小径に形成されたロッド部と、を備え、前記錘部は、前記ロッド部の先端に形成されていることを特徴とする。
【００１０】
本発明によると、錘部を逆流防止弁のハウジング内でなく遊技盤の内部に配置したことにより、ハウジングにおいて遊技領域側に突出する部位の突出量を減少させることができる。このため、遊技釘を内レールに極めて接近して配置しても、逆流防止弁を容易に配設することが可能になる。換言すると、センター装飾部材の大型化に伴う遊技球通路幅の縮小化に対して十分に対応可能となる。
【図面の簡単な説明】
【００１１】
【図１】本発明の一実施形態に係る逆流防止弁と錘収容孔部と内レールとの位置関係を表す斜視図である。
【図２】内レールに逆流防止弁を装着した状態を表す斜視図である。
【図３】逆流防止弁の分解斜視図である。
【図４】逆流防止弁の動作説明図である。
【図５】同じく逆流防止弁の動作説明図である。
【図６】パチンコ遊技機の正面図である。
【図７】従来の逆流防止弁を内レールに装着した状態を表す斜視図である。
【発明を実施するための形態】
【００１２】
図１〜図５において、本実施形態に係る逆流防止弁１は、外レール２と内レール３とにより構成される誘導レール部４の内レール３の先端部３ａに配設される。
【００１３】
逆流防止弁１はハウジング５を備える。ハウジング５は、遊技盤６と直交する方向から内レール３の先端部３ａに、先端部３ａを覆うように取着される取付部５ａを有する。取付部５ａは、内レール３の先端部３ａに対して嵌合して固着されるが、その他、接着等によって固着してもよい。
【００１４】
取付部５ａは内レール３と平行に形成され、取付部５ａの後端部（遊技盤６に近い側の端部）及び前端部（遊技盤６から遠い側の端部）からそれぞれ後壁部５ｂ及び前壁部５ｃが互いに平行に延設される。後壁部５ｂ及び前壁部５ｃの各内面にそれぞれ軸受部５ｄ、５ｅが設けられており、この一対の軸受部５ｄ、５ｅは、遊技盤６に対し垂直な状態で軸部７を保持する。
【００１５】
軸部７には、揺動部８が回動自在に嵌められる。揺動部８は、軸部７回りに回動可能な回動部８ａと、回動部８ａから外レール２に接近する方向に延びる板状の弁部８ｂと、回動部８ａから弁部８ｂとは反対側に延びる板状の基板部（ベース部に相当。）８ｃと、基板部８ｃから遊技盤６に対して垂直に延びるロッド部８ｄと、ロッド部８ｄの先端に形成される錘部８ｅとを備えて構成される。ロッド部８ｄの先端部は、後壁部５ｂに形成された溝部５ｆに挿通され、錘部８ｅは後壁部５ｂの外面側に配される。
【００１６】
遊技盤６には、逆流防止弁１の錘部８ｅを移動可能に収容する錘収容孔部９が設けられている。錘収容孔部９は、貫通孔又は凹部により構成される。
【００１７】
逆流防止弁１を内レール３の先端部３ａに装着したとき、逆流防止弁１の錘部８ｅは遊技盤６の錘収容孔部９に収容された状態となる。また、逆流防止弁１の揺動部８は、錘部８ｅによる揺動部８の重心に基づき、図４に示すように、弁部８ｂが外レール２に最も接近した状態に維持されると共に錘部８ｅが外レール２から最も離隔した状態に維持される。ここで、弁部８ｂの先端と外レール２との間の距離は、遊技球Ｂの直径よりも小さく設定されている。
【００１８】
次に、上記のように構成される逆流防止弁１の動作を説明する。
【００１９】
遊技球Ｂが発射されないとき、逆流防止弁１は、上述したような定位置、つまり、逆流防止弁１を内レール３の先端部３ａに装着したときの状態と同じ状態を維持し、弁部８ｂの先端と外レール２との間の距離は、遊技球Ｂの直径よりも小さい。
【００２０】
遊技球Ｂが発射されたとき、外レール２に沿って誘導されてきた遊技球Ｂは揺動部８の弁部８ｂに当たるようになる。遊技球Ｂが弁部８ｂに当たると、揺動部８が軸部７を中心として図４図示矢印ａ方向へ回動し、図５に示すように、遊技球Ｂが外レール２と弁部８ｂとの間を通過して遊技領域１０へ入る。遊技球Ｂが外レール２と弁部８ｂとの間を通過した後は、錘部８ｅによる揺動部８の重心に基づき、揺動部８は軸部７を中心として図５図示矢印ｂ方向へ回動し、逆流防止弁１は図４に示す定位置つまり元の状態に戻る。逆流防止弁１が定位置に戻るとき又は戻ったとき、遊技領域１０に入った遊技球Ｂが遊技釘等によって跳ね返されて弁部８ｂに当たると、揺動部８が軸部７を中心として図５図示矢印ｂ方向へ回動しようとするが、錘部８ｅは錘収容孔部９によって移動が阻止され、遊技球Ｂは誘導レール部４へ逆流しない。
【００２１】
以上説明したように、本実施形態のパチンコ遊技機は、内レール３の先端部３ａに配設される逆流防止弁１を備えるパチンコ遊技機であり、逆流防止弁１は、遊技盤６に対して垂直に配される軸部７と、軸部７を挟んで形成され、軸部７を中心として揺動自在な揺動部８とを備え、揺動部８は、遊技盤６に対して垂直に配され遊技球Ｂが当接可能な弁部８ｂと、軸部７を挟んで弁部８ｂの反対側に配され弁部８ｂに対し弁部８ｂを定位置に保持及び復帰させる作用を発揮する錘部８ｅとを有し、錘部８ｅを軸部７の軸方向において弁部８ｂからずれた位置に設けると共に、錘部８ｅを移動可能に収容する錘収容孔部９を遊技盤６に設けて構成される。
【００２２】
本実施形態によると、錘部８ｅを逆流防止弁１のハウジング５内でなく遊技盤６の内部に配置したことにより、ハウジング５において遊技領域１０側に突出する部位８ｆの突出量を減少させることができる。このため、遊技釘を内レール３に極めて接近して配置しても、逆流防止弁１を内レール３の先端部３ａに容易に配設することが可能になる。換言すると、センター装飾部材の大型化に伴う遊技球通路幅の縮小化に対して十分に対応可能となる。
【００２３】
なお、上記実施形態では、逆流防止弁１は内レール３の先端部３ａに配設可能に構成されるが、本発明の逆流防止弁１は、内レール３ではなく遊技盤６に取着し得るよう構成してもよい。
【符号の説明】
【００２４】
１    逆流防止弁
３    内レール
３ａ    先端部
６    遊技盤
７    軸部
８    揺動部
８ｂ    弁部
８ｅ    錘部
９    錘収容孔部
【図１】
0005394859.tif 000002
【図２】
0005394859.tif 000003
【図３】
0005394859.tif 000004
【図４】
0005394859.tif 000005
【図５】
0005394859.tif 000006
【図６】
0005394859.tif 000007
【図７】
0005394859.tif 000008